(57)【特許請求の範囲】
【請求項１】
２つの通風路を選択的に切り換えて空気流を案内する風路切換装置において、
一方の通風路を閉塞したとき、他方の通風路に空気流を案内する案内面を有するダンパと、該ダンパの前記案内面が空気流を案内する方向の下流側部分を支持して前記２つの通風路間で該ダンパを回動させる回動軸とを備え、
前記ダンパは、一方の通風路を閉塞したときに他方の通風路に向かう空気流が突き当たる風受け面を備え、
前記風受け面は、前記案内面の上流側の端縁から前記ダンパの回動軌跡の径方向における外側に向かって張り出して設けられ、
前記一方の通風路には、当該通風路を閉塞した前記ダンパの前記風受け面を収容する凹部が設けられ、
前記ダンパが一方の通風路を閉じた状態のときの前記風受け面は、一方の通風路における前記風受け面が対向する位置と反対側に設けられた規制部に前記ダンパが規制されることにより、一方の通風路に当接することなく対向して該風受け面側の前記ダンパと一方の通風路との間に隙間を形成し、
前記ダンパが他方の通風路を閉じた状態のときの前記風受け面は、他方の通風路における前記風受け面が対向する位置と反対側に設けられた規制部に前記ダンパが規制されることにより、他方の通風路に当接することなく対向して該風受け面側の前記ダンパと他方の通風路との間に隙間を形成することを特徴とする風路切換装置。
【発明の詳細な説明】
【技術分野】
【０００１】
本発明は、通風路を切り換える風路切換装置に関する。
【背景技術】
【０００２】
近年、浴室暖房乾燥機においては、温風を浴室内に送るために設けられている送風ファンを換気用のファンとしても利用することが行われている。この場合、浴室暖房乾燥機には、ファンからの空気流を暖房用通風路と換気用通風路との一方に選択的に案内する風路切換装置が設けられる（例えば特許文献１参照）。
【０００３】
この種の風路切換装置は、暖房用通風路と換気用通風路とに分岐する分岐位置に備えるダンパにより風路の切り換えを行うようになっている。ダンパは、浴室暖房を行う場合には換気用通風路を閉じ、浴室からの換気を行う場合には暖房用通風路を閉じるように作動する。
【先行技術文献】
【特許文献】
【０００４】
【特許文献１】特開２００７−１０７８４８号
【発明の概要】
【発明が解決しようとする課題】
【０００５】
ところで、暖房用通風路と換気用通風路とは互いに異なる方向に延び、例えば、ファンからの空気の流動方向と換気用通風路の空気の流動方向とが略同一方向となっている場合には、暖房用通風路の空気の流動方向は、ファンからの空気の流動方向に対して交差方向となる。
【０００６】
このため、従来、ダンパには、換気用通風路を閉塞したときにファンからの空気流を案内するために湾曲する形状の案内面が設けられる。案内面が湾曲形状であることにより、ファンからの空気流を暖房用通風路に向かって滑らかに屈曲させることができる。
【０００７】
しかし、ダンパが換気用通風路を閉塞したとき、ファンからの空気流の上流側を向くダンパの端縁（以下先端縁という）に交差して当該空気流が通過すると、通風路内面に形成されるダンパの先端縁による僅かな段差により、この時の空気流の一部が案内面の裏側（換気用通風路の内部に面する側）に入り込もうとする。これによってダンパが小刻みに振動し、この振動に伴う騒音が発生する不都合がある。
【０００８】
上記の点に鑑み、本発明は、一方の通風路を閉塞したダンパによる騒音の発生を低減することができる風路切換装置を提案することを目的とする。
【課題を解決するための手段】
【０００９】
かかる目的を達成するために、本発明は、２つの通風路を選択的に切り換えて空気流を案内する風路切換装置において、一方の通風路を閉塞したとき、他方の通風路に空気流を案内する案内面を有するダンパと、該ダンパの前記案内面が空気流を案内する方向の下流側部分を支持して前記２つの通風路間で該ダンパを回動させる回動軸とを備え、前記ダンパは、一方の通風路を閉塞したときに他方の通風路に向かう空気流が突き当たる風受け面を備え、前記風受け面は、前記案内面の上流側の端縁から前記ダンパの回動軌跡の径方向における外側に向かって張り出して設けられ、前記一方の通風路には、当該通風路を閉塞した前記ダンパの前記風受け面を収容する凹部が設けられ、前記ダンパが一方の通風路を閉じた状態のときの前記風受け面は、一方の通風路における前記風受け面が対向する位置と反対側に設けられた規制部に前記ダンパが規制されることにより、一方の通風路に当接することなく対向して該風受け面側の前記ダンパと一方の通風路との間に隙間を形成し、前記ダンパが他方の通風路を閉じた状態のときの前記風受け面は、他方の通風路における前記風受け面が対向する位置と反対側に設けられた規制部に前記ダンパが規制されることにより、他方の通風路に当接することなく対向して該風受け面側の前記ダンパと他方の通風路との間に隙間を形成することを特徴とする。
【００１０】
本発明によれば、ダンパに風受け面を設けたことにより、一方の通風路を閉塞したときに他方の通風路に向かう空気流が風受け面に突き当る。風受け面はダンパの回動軌跡の外側に張り出して設けられていることにより、風受け面に空気流が突き当ったときの風圧により風受け面を介してダンパが一方の通風路を閉塞する方向に押さえつけられる。
【００１１】
これによって、空気流が風受け面の裏側に回り込んでも、風受け面に突き当る空気流の風圧が対抗してダンパの振動は生じ難くなり、騒音の発生を低減することができる。
【００１２】
また、前記凹部を設けたことにより、凹部に収容された状態の風受け面の裏側への空気流の回り込みを防止することができる。従って、ダンパの振動を防止して騒音の発生を一層確実に低減することができる。
【図面の簡単な説明】
【００１３】
【図１】本発明の実施形態の風路切換装置を備える浴室暖房乾燥機の概略構成図。
【図２】ダンパの形状を示す斜視図。
【図３】暖房時のダンパ位置における要部の拡大断面図。
【図４】換気時のダンパ位置における要部の拡大断面図。
【発明を実施するための形態】
【００１４】
本発明の一実施形態を図面に基づいて説明する。図１に示すように、本発明による風路切換装置１は浴室暖房乾燥機２に組み込まれている。
【００１５】
浴室暖房乾燥機２の構成を説明する。図１に示すように、浴室暖房乾燥機２は、浴室の天井３に埋め込むようにして取り付けられた機体４と、天井３に形成した開口を通して浴室に臨む機体４の下面を天井３の下側から覆うパネル５とを備えている。
【００１６】
パネル５には、吸込み口６と吹出し口７とが共に下向きに形成されている。吹出し口７は横長矩形状に形成されており、吹出し口７には吹出し口７に対応する形状のルーバー８が設けられている。
【００１７】
機体４内には、暖房用通風路９（本発明における他方の通風路に相当する）と換気用通風路１０（本発明における一方の通風路に相当する）とが画成されている。暖房用通風路９は、上流端が吸込み口６となっており、下流端が吹出し口７となっている。換気用通風路１０は、上流端が吸込み口６となっており、下流端が排出口１１となっている。排出口１１は、屋外で開放する図外のダクトに接続される。
【００１８】
暖房用通風路９の吹出し口７の上流側の近傍には、加熱手段１２が設けられている。加熱手段１２は、図外の熱源機から供給される温水を流す放熱器で構成されている。換気用通風路１０は、吸込み口６を暖房用通風路９と共有し、加熱手段１２の上流側で暖房用通風路９から分岐する。吸込み口６の下流側近傍には、ファン１３が設けられており、浴室内の空気を吸込み口６から強制的に吸込んで暖房用通風路９や換気用通風路１０に向かう気流を生成する。
【００１９】
暖房用通風路９と換気用通風路１０との分岐位置には、本発明による風路切換装置１が設けられている。
【００２０】
風路切換装置１の構成を説明する。図１に示すように、風路切換装置１は、ダンパ１４と、暖房用通風路９と換気用通風路１０との分岐位置でダンパ１４を回動自在に支持するダンパ室１５と、ダンパ１４の回動を駆動する駆動手段としてのモータ１６とを備えている。
【００２１】
ダンパ１４は、ファン１３からの空気流を暖房用通風路９に送るときに換気用通風路１０を閉じ（図３参照）、ファン１３からの空気流を換気用通風路１０に送るときには暖房用通風路９を閉じる（図４参照）。
【００２２】
図２に示すように、ダンパ１４は、案内板１７と、案内板１７の両端から延びる脚片１８と、脚片１８に一体に形成されて外側に突出する回動軸１９とを備えている。案内板１７は、暖房用通風路９に向かう気流を案内する第１の案内面１７ａ（本発明における案内面に相当する）と、第１の案内面１７ａの裏面であって換気用通風路１０に向かう気流を案内する第２の案内面１７ｂと、案内板１７の先端（回動軸１９と反対側の端縁）に沿って形成された風受け面２０とを備えている。
【００２３】
風受け面２０は、ダンパ１４の回動軌跡の外側方向に張り出しており、ダンパ１４により換気用通風路１０を閉じたとき、ファン１３からの空気流が突き当る角度に設けられている。
【００２４】
ダンパ室１５は、図１に示すように、両脚片１８の外側に対向する一対の側壁２１と、暖房用通風路９側に位置する暖房側開口２２と、換気用通風路１０側に位置する換気側開口２３と、仕切り壁２４とを備えてダンパ１４を内包している。ダンパ１４の回動軸１９はダンパ室１５の両側壁２１に回転自在に支持される。そして、ダンパ室１５の一方の側壁２１の外側には、回動軸１９を介してダンパ１４を回動させるモータ１６が取り付けられている。
【００２５】
暖房側開口２２は、ダンパ１４の案内板１７によって暖房用通風路９を閉塞可能な形状となっている。同様に、換気側開口２３は、ダンパ１４の案内板１７によって換気用通風路１０を閉塞可能な形状となっている。更に、換気側開口２３である換気用通風路１０の上流端の上壁には、ダンパ１４の風受け面２０を収容するための凹部２３ａが形成されている。
【００２６】
仕切り壁２４は、暖房側開口２２と換気側開口２３との間を仕切っており、仕切り壁２４の先端には、ダンパ１４の案内板１７に当接してダンパ１４の回動を規制する規制部２５が一体に設けられている。
【００２７】
ダンパ１４は、案内板１７が換気側開口２３に位置して換気用通風路１０を閉じる方向に回動すると、換気用通風路１０を閉じたところで、図３に示すように、規制部２５が案内板１７に当接してその回動を停止させる。
【００２８】
規制部２５は、回動軸１９に近い位置の案内板１７に当接する。規制部２５に当接するときの案内板１７の回動速度は、回動軸１９から遠い位置にある案内板１７の先端よりも遅い。よって、規制部２５に案内板１７が当接したときの衝突音は小さい。
【００２９】
更に、案内板１７の風受け面２０は換気側開口２３の凹部２３ａに当接せず、幅狭の空隙を存して対向する。これにより、規制部２５が案内板１７に当接して小さな衝突音が生じるだけで、回動軸１９から離れた位置にある案内板１７の先端から衝突音が発生することはなく、通風路９，１０の切り換え時の衝突音による不快な騒音の発生を抑制することができる。
【００３０】
ところで、ダンパ１４が換気用通風路１０を閉じたとき、案内板１７の先端側から裏側に空気流の一部が流れ込み、更に、ダンパ１４と換気用通風路１０の上壁との隙間を抜ける空気流が生じると、ダンパ１４を換気用通風路１０の上壁から離反させる力が発生する。このときダンパ１４が振動した場合には、騒音が発生するおそれがある。
【００３１】
そこで、本実施形態においては、ダンパ１４に風受け面２０を設けて、ダンパ１４が換気用通風路１０を閉じたときにファン１３からの空気流が風受け面２０に突き当たるようにした。これにより、風受け面２０に突き当たった空気流がダンパ１４を換気用通風路１０の上壁方向に押さえつけるように作用し、ダンパ１４と換気用通風路１０の上壁との隙間を空気流が抜けても、ダンパ１４が換気用通風路１０の上壁から離反できない状態となる。よって、ダンパ１４の振動の発生を抑制して騒音を低減させることができる。
【００３２】
更に、ダンパ１４が換気用通風路１０を閉じたときに換気側開口２３の凹部２３ａに風受け面２０が収容されるようにしたことにより、空気流が風受け面２０の裏側に侵入し難くなるので、ダンパ１４の振動の発生を一層抑制することができると共に、風受け面２０が暖房用通風路９へ向かう空気流の邪魔になることがなくスムーズな空気流を形成することができる。
【００３３】
また、ダンパ１４は、案内板１７が暖房側開口２２に位置して暖房用通風路９を閉じる方向に回動すると、暖房用通風路９を閉じたところで、図４に示すように、規制部２５が案内板１７の後端（回動軸１９の近く）の近傍に当接してその回動を停止させる。一方、案内板１７の先端及び風受け面２０の裏面は暖房側開口２２に当接せず、幅狭の空隙を存して対向する。これにより、換気用通風路１０を閉じる場合と同様に、通風路９，１０の切り換え時の衝突音による不快な騒音の発生を抑制することができる。
【００３４】
なお、本実施形態として浴室暖房乾燥機２に組み込まれた風路切換装置１について説明したが、上記構成の風路切換装置１は、浴室暖房乾燥機２以外の機器類にも組み込むことが可能であり、同様の効果を得ることができる。
【符号の説明】
【００３５】
１…風路切換装置、９…暖房用通風路（他方の通風路）、１０…換気用通風路（一方の通風路）、１４…ダンパ、１７ａ…第１の案内面（案内面）、１９…回動軸、２０…風受け面、２３ａ…凹部。
【図１】
0006537922.tif 000002
【図２】
0006537922.tif 000003
【図３】
0006537922.tif 000004
【図４】
0006537922.tif 000005